(57)【要約】  本マッサージチェアは、背もたれ（１）、座席（２）、フットレスト（３）、ヘッドレスト（４）からなり、ヘッドレストは後方に伸びる プレート（６）を有し、これをプールサイドに水平に かけてサポートとして利用する。また、ヘッドレスト（４）に装備する一基、又は複数の駆動ポンプから発生する空気や水の噴出口を備え、パイプ（８）を循環して孔部より噴射させる。同チェアの構造は各部分が連結されているが、部分的に、或いは完全に折りたたむ事が出来る。この事により、プール内設置の状態で不使用時には折りたたんで占有スペースを縮小し、収納保管時にも有利である。また購入、搬送後は、工事やプール水抜き、更には椅子組み立ての必要もなく、折りたたんである椅子を開いて設置するだけで良い。回転式ジョイントによって空気や水の循環を実現する新案の成果である。【選択図】図２
2015504345.tif 000002
【特許請求の範囲】
【請求項１】
プールや同様の浴槽内で使用する水中マッサージチェアは、背もたれ（１）と座席（２）から成り立ち、両本体は垂直以上に開かれた角度の形状を持ち、背もたれ（１）は上部にヘッドレスト（４）、座席は下部にフットレスト（３）を有し、座席（２）本体両側にはアームレスト（５）が設置され、また、ヘッドレスト（４）に内蔵された一基又は複数の駆動ポンプで空気や水の流動体を循環させるため数本のパイプが配管されているが、これらを通して背もたれ（１）、座席（２）、フットレスト（３）から空気や水を噴射し、ヘッドレスト（４）や座席（２）は、背もたれ部（１）へ折りたたむ事ができ、同様にフットレスト（３）は座席（２）へ折りたたむことができ、この様に、プール内で部分的に折りたたみ式を活用できるほか、完全折りたたみ状態での収納が可能であり、特殊性では、折りたたみ手段、又は各部分の連結方法を回転式特殊ジョイントによって機能させる点にあり、この連結は、ヘッドレスト（４）と背もたれ（１）間、背もたれ（１）と座席（２）間、座席（２）とフットレスト（３）間を指し、同連結部ジョイントは、相互はめ込み可能な２ピース、またはそれ以上の空洞状部品の集合で、はめ込みには中間補助ピースを用いる事も可能であり：
同ジョイントは、一本の回転軸として作動し：また、これらは空気や水が循環するパイプ （８）と接続し、ヘッドレスト（４）内に装備された駆動ポンプシステムによって稼働し、背もたれ、座席及びフットレストには、それぞれパネル又は分流用パイプ（１２、１３、１４）の配備が施され、背もたれ（１）、座席（２）、フットレスト（３）へ空気や水を分配し、この場合、前述パネルは相互にジョイント（９）を介して接続されており、空気循環は持続すし、同パネルは複数の噴射口を持ち、駆動ポンプから発射された空気や水がここから送出され、ユーザーに背面（１）、座面（２）、フットレスト（３）から全身マッサージの施術を提供するプールや同様の浴槽内で使用する水中マッサージチェア。
【請求項２】
請求項１に記載のプールや同様の浴槽内で使用する水中マッサージチェアであって、ジョイント（９）がそれぞれ複数の空洞状部品（１０）で構成され、これらを環状部品（１１）を使用して連結する事によって回転軸として機能させる特殊性を持ち、この各ジョイントの部品（１０）は交互に配置され、椅子の各所に装備されたパネル間の連動を可能にするプールや同様の浴槽内で使用する水中マッサージチェア。
【請求項３】
請求項１または２に記載のプールや同様の浴槽内で使用する水中マッサージチェアであって、各ジョイントの両端が栓で閉められ（１５）、各ジョイント（９）内に気体空間を発生させ、パイプ（８）を通して伝播して行く点に特殊性を持ち、あるケースではヘッドレスト（４）と背もたれ（１）間で、他のケースでは背もたれ（１）と座席（２）間や座席（２）とフットレスト（３）間でこれを行なうプールや同様の浴槽内で使用する水中マッサージチェア。 
【請求項４】
請求項１に記載のプールや同様の浴槽内で使用する水中マッサージチェアであって、チェアの各部から噴射する空気の分配用パイプは、連結がフレキシブルな装置によるもので、折りたたみで生じる一部の空気や水分配システムの変形を吸収、緩和する性能がある点に特殊性を示すプールや同様の浴槽内で使用する水中マッサージチェア。
【発明の詳細な説明】
【技術分野】
【０００１】
本発明は水中マッサージチェアに関し、プール他、同様の浴槽内で使用するものである。従来からのスパやリラクゼーションセラピー施設の機器と同種であるが、設置工事やそのためのプール水抜きの必要がなく、水中に設置後即時に作動開始できる。
【０００２】
本発明の目的は、完全又は部分的に折りたたみ可能のマッサージチェアを提供する事だが、空気や水の噴出口を搭載し、プールや浴槽内で通常の椅子としての使用時に、ユーザーが水中マッサージを受けられるよう考慮されている。
【０００３】
そして折りたたみ式であるという点は、販売から運搬、設置、水中使用まで組み立て状態でダイレクトに実行できるばかりでなく、必要に応じては折りたたんででも可能であるという利点を合わせ持つ。
【背景技術】
【０００４】
周知のごとく、プールや温泉施設は、水の癒し効果によるリラックスが目的の一つに挙げられる。この目的から、利用者の体の一部分が水に浸かっていられるように補助する様々な浮遊物があるが、とりたい姿勢を維持したり体の浸水範囲をコントロールしたりする場合には快適さの面で何らかの抵抗があり、深いリラックス効果には影響が見られるようだ。
【０００５】
スパ施設を例にとってみると、浴槽周囲の一辺に椅子やベッド状の装置を固定し、プール内と同様の効果を期待したものがある。が、これまでにその前例は報告されていない。
【０００６】
しかしながら、こうした椅子やベッド状の装置は構造が固定され、移動不可であることから、使用時にはある程度のポジション変更は可能であっても、他の用途には適当でない面もあり、使用時以外は障害物にもなるだろう。
【０００７】
この様な問題や不便性を解決するため、スペイン実用新案ＥＳ１０７５９９２Ｕは、プールや他の水中で使用する椅子の新機種について記載がなされている。
【０００８】
この新機種は、座面と背面の本体からなり、これらは出来れば垂直以上の広角度の椅子形態に設定する事が望ましい。また、背面を後方に設置されたプレートに沿って上部にスライドさせると両部分が結合、水平になり、必要な姿勢に合ったポジションが設定できる。
【０００９】
同背面後部プレートはプールサイド上に伸長設置した際、椅子装置のサポートとなる。
【００１０】
使用時に椅子の適当な角度を維持するには、アームレストを後方に伸ばし、プール側壁で強固にサポートするように設計されている。
【００１１】
同チェアは、更に、背もたれと椅子及び椅子に取り付けられたフロントフットレストにパイプが配管され、駆動ポンプで発生させた空気又は水などの流動体を送出して、着席中ユーザーへ水中マッサージの施術を実行する。
【００１２】
ところで、この様な機器には構造が固定されているという難点がある。特に不使用時を考えた場合、水中での機器占有面積の大きさの欠点は否めない。
【００１３】
本報告機器はその折りたたみ機能により、不使用時にはコンパクトに収容して半分以下にまで占有スペースを縮小でき、上記不便性を解決した。同時に運搬を容易にし、在庫保管時のコストを更に削減できる。これらのメリットは、特殊な空気や水の分配システムを搭載した事によるもので、通常はチューブの変形を招きやすい屈曲部に種々のフレキシブルな材質の部品を使用したため、いすを折りたたんでも支障がない。
【発明の概要】
【課題を解決するための手段】
【００１４】
本出願の水中マッサージチェアは、前記上述の問題点を踏まえ、簡略ながら効果的な解決法が取り入れられている。
【００１５】
具体的には、折りたたみ式である事が主な特徴である。椅子部を背もたれ部に折りたたむ事が出来る プール壁際に伸長する背もたれ後部のサポートプレートやフットレストなども含めて全本体がコンパクトになり、プールの通常使用において障害になる事がない。また、収納と保管にも大きなスペースを要さない。
【００１６】
更に、本発明チェアは部分的にも折りたためる点が特徴で、プール内には設置されているが不使用時のみ折りたたんだ状態にしておく事が可能である。
【００１７】
一方、椅子の折りたたみを可能にするため、複数の空洞状ジョイントピースを相互連接し、或いは他の中間ピースを用いて連接させて、これらを一本の回転軸として連動させる手段が考案された。このため、フットレストから座席、背もたれまで、また背もたれと椅子のヘッドレスト上部に至るまで、空気や水の配管網を含めて同時に折りたたみが可能になる。同一連ジョイントピースは、水や空気の流動体循環システム各部に接続する事でその内部を流動体が通過し、更に 回転軸としての運転を続行する。この様にして、椅子ヘッドレストに装備の駆動ポンプ（従来のタイプで問題なし）から送出された流動体は配管パイプを通過して回転式ジョイント部に至るが、流動体循環が上部から下部に向けて行なわれる過程で、常時ジョイント部を通過する様になっている。そして、背もたれと座席の各中央内部内蔵の噴出パネルだけでなく、フットレスト内パネルにまで達する。これは、背もたれと座席間、また座席とフットレスト間の結合部分の配管にバイパスが設けられているためである。つまり、回転式ジョイントは二重の機能を果たすと言える。一方では流動体を通過させて各部の循環システムを連動させ、もう一方では椅子を形成する結合部分の関節の役目を担う。
【００１８】
また同椅子は、次の様な場合に対応して設計の変更が可能である。椅子各部分の結合に前述の空洞状ジョイントを用いず、椅子の部分別にあらかじめコネクション部品を装置してもう一方の部品と接続させて行なうケースである。この場合にはジョイント自体に関節としての機能を必要としないため、空気や水の循環システムを簡略化でき、ニーズに応じたフレキシブルなパイプを使用して、折りたたみで生じる変形に対処するのに役立つ。また要望があれば、これら二種を同時引用した特殊設計も可能である。
【００１９】
結論として、同機器はプールや同様のあらゆる浴槽施設に適し、完全折りたたみ式である特殊性から収納に便利で、のみならず部分的な折りたたみ機能を搭載した点により、水中に設置されている状態でも不使用時に大きなスペースを取らない点が画期的なのである。
【００２０】
回転式特殊ジョイント部やフレキシブルなパイプの使用は、椅子の各部分の折りたたみを可能にし、折りたたんだ場合でも空気や水の循環パイプが圧迫されるなどの問題が起こる事はない。
【００２１】
最後に、本発明による椅子には一切設置工事の必要がなく、プールの水抜きもしなくて済み、節約にもつながる。車のトランクから箱入りの折りたたみ状態で持ち込み、水中設置に至る事ができるだろう。
【図面の簡単な説明】
【００２２】
次に示す補足説明は、本発明の特色への理解をより深めるため、図入りの実用例に従って進めて行く。
【図１】本発明水中マッサージチェアの正面全体像を表示。使用時ポジション。
【図２】後方から見たイラスト。ジョイント部分の構造と、配管及びその結合状態を示す。
【図３】各部分別のイラストと，椅子を形成する連結部分の各ジョイントを表示する。
【図４】図１の椅子を側面から見た立体図。
【図５】部分的に折りたたまれた椅子の側面図。
【図６】完全折りたたみ状態の椅子の側面図。
【図７】後方から見た流動体循環パイプで、フレキシブルな接続による噴出パネル間の配管を表示。接続状態を明示するため、座席、背もたれ、支柱ベースのみを記載した。また、回転式 ジョイントを使用せず、椅子各部分に装備された個別ジョイントの状態を見る事が出来る。
【発明を実施するための形態】
【００２３】
図で見られる通り、本発明チェアは背もたれ（１）、座席（２）、前部フットレスト（３）、背もたれ上部の（１）のヘッドレスト（４）、サイドアームレスト（５）を有する。
【００２４】
背もたれ上部（１）のヘッドレスト部（４）には、一枚のプレート（６）が装備されており、これを使用時にプールサイドに水平にかけてサポートする。またプレート（６）は、貫通タイプねじを管の開孔部（７）に通し、固定する事が可能である。ヘッドレスト（４）の強力なサポート効果を期待したものである。
【００２５】
更に椅子全体では、背もたれ（１）、座席（２）やフットレスト（３）にも噴出口があり、図１で示した通り、空気や水の流動体によるマッサージをプールなどの水中で行なう。この場合には、ヘッドレスト（４）内部に いずれかの従来駆動システムを配備し、流動体をパイプ（８）を通して循環、噴出させる。
【００２６】
さて、これらの特徴から見る本発明の画期的な点は、ヘッドレスト（４）に装備されたプレート（６）は背もたれ部（１）で部分的折りたたみが出来、同時に、背もたれ（１）と座席（２）の本体が折りたため、また、座席（２）に装備されたフットレスト（３）も部分的に折りたためる事である。
【００２７】
図２でご覧いただける様に、横方向に形成された３点の連結部分はそれぞれが一つのジョイント（９）で接合されている。この場合の特殊性は、各ジョイントに内部空洞の部品（１０）を複合使用し、これらを対応する環状金具（１１）によって連結させ、回転軸として機能させる事による。このためジョイント部分の（９）の設計は、図２で見られるように、部品（１０）の交互配置となっている。また、図３でも詳細図を見る事が出来る。この様にそれぞれの空洞状部品（１０）は、一連の連結ジョイント（９）とともに空気や水循環システムの一部に接続され、椅子がどのようなポジションをとっていても、各空洞状部品（１０）は座席の一部に常に連携している。
【００２８】
プール内で着席状態のユーザーに水中マッサージを施術するにあたり、流動体はヘッドレスト（４）上に装備された駆動ポンプにより送出され、ジョイント（９）にアクセスして配管パイプ（８）からマッサージ効果が供給される。この際、まずヘッドレスト（４）と背もたれ（１）間のジョイントに達し、ここから流動体は背もたれ（１）と座席（２）間ジョイントに分配され、最後に座席（２）とフットレスト（３）間のジョイントに至る。この経路に数カ所の分岐点を設置し、ジョイントから椅子各部分の噴出口に通じるパネルに流動体を分配させることも可能である。
【００２９】
各ジョイント（９）に到達した空気や水は、背もたれ上でパネル（１２）より噴出される。この事は図２で見ることができるが、座面（２）での噴出も別パネル、又は他の配管（１３）から行われ、同様にフットレスト（３）にも噴出パネル（１４）がある。これらは、ヘッドレスト（４）の駆動ポンプから発射された水、又は空気を、背面（１）、座面（２）、フットレスト（３）を介して、上記各パネル やパイプ（１２、１３、１４）の開孔から噴射させようというものである。
【００３０】
流動体の漏洩を防ぐとともに各ジョイント（９）内に気体空間を発生させるため、ジョイント（９）はその両端を栓（１５）で閉める。これは、パイプ（８）を介して実行し、空間は次々にジョイント間を伝播して行く。
【００３１】
これらの特徴により、部分的な折りたたみ機能を発揮して、背もたれ（１）にフットレスト（３）ともども座席（２）を折りたたんで行くと、プール内での不使用時の占有スペースは約半分まで縮小できる。
【００３２】
折りたたみ作業は、椅子部分（２）横のアームチェア（５）側面（５’）に設置のレバー（１６）で実行する。図５に示した様に、椅子部分が折りたたまれた状態でも、レバー（１６）は原状を保ち、椅子部分は安定している。同様に図６では、ヘッドレスト（４）をサポート用プレート（６）とともに収納して完全に折りたたむ場合も、椅子の一方又は両方から手動操作できる点が分かる。この様に、マッサージチェアの完全折りたたみ状態は体積がわずかで、最小限の収納スペースを実現する。
【００３３】
前述の様に、折りたたみに空洞状ジョイント部品不使用の場合は、屈曲部品が椅子各部分にあらかじめ装備され、フレキシブルな材質のパイプ使用が可能となる。これらは 折りたたむ事によって生じる空気や水循環システム部のパイプの変形を和らげるのに役立つ。
【図１】
2015504345.tif 000003
【図２】
2015504345.tif 000004
【図３】
2015504345.tif 000005
【図４】
2015504345.tif 000006
【図５】
2015504345.tif 000007
【図６】
2015504345.tif 000008
【図７】
2015504345.tif 000009
【国際調査報告】
2015504345.tif 000010
2015504345.tif 000011
2015504345.tif 000012
2015504345.tif 000013
2015504345.tif 000014
2015504345.tif 000015
2015504345.tif 000016
2015504345.tif 000017